(57)【特許請求の範囲】
【請求項１】
１つ以上の計器を含む計器装置であって、
指針と、
前記指針の指示対象となる、目盛を含む指標部と、前記指針を基準として前記指標部の反対側に位置し、所定の情報を報知する報知部と、前記報知部と前記指針及び前記指標部とを囲み、前記計器の輪郭を表す輪郭部と、が設けられ、前記指針の背後に位置する計器板と、
光を出射する第１光源及び第２光源が設けられ、前記計器板の背後に位置して前記計器板と対向する回路基板と、
前記第１光源が出射した光を受光し、受光した光を前記指標部及び前記輪郭部へと導光する導光体と、
前記回路基板と前記計器板との間に配置され、前記導光体を収納する導光体ケースと、を備え、
前記第２光源は、前記報知部と対向しており、
前記導光体は、前記指標部の背後から前記指標部と前記輪郭部のうちの前記指標部近傍の部分とを覆う第１導光部と、前記第１導光部と繋がっており前記輪郭部の背後から前記輪郭部の他の部分を覆う第２導光部と、を備え、
前記第１導光部と前記第２導光部とによって、前記計器板の厚さ方向から見た場合に前記第２光源及び前記報知部が内部に位置する貫通孔が前記導光体に形成され、
前記導光体ケースは、前記計器板の厚さ方向から見た場合に前記第２光源及び前記報知部を囲むとともに前記貫通孔を貫き、前記第２光源によって前記報知部を照明させる照明室と、前記計器板の厚さ方向から見た場合に前記第１導光部と略同様の形状であり、前記第１導光部を収納する第１凹部と、前記第１凹部とで前記照明室を囲み、前記計器板の厚さ方向から見た場合に前記第２導光部と略同様の形状であり、前記第２導光部を収納する第２凹部と、を備え、
少なくとも前記第２凹部の側面は、前記導光体から到達した光を前記導光体へ反射する反射面を構成することによって、前記導光体による光の導光を補助し、
前記導光体は、導光した光を、前記第１導光部から出射することで前記指標部と前記輪郭部のうちの前記指標部近傍の部分とを照明するとともに、前記第２導光部から出射することで前記輪郭部の他の部分を照明する、
ことを特徴とする計器装置。
【請求項２】
１つ以上の計器を含む計器装置であって、
指針と、
表示装置と、
前記指針の指示対象となる、目盛を含む指標部と、前記指針を基準として前記指標部の反対側に位置し、前記表示装置の表示面から出射される光を透過し、前記表示面を視認可能にする透過部と、前記表示装置と前記指針及び前記指標部とを囲み、前記計器の輪郭を表す輪郭部と、が設けられ、前記指針の背後に位置する計器板と、
光を出射する第１光源が設けられ、前記計器板の背後に位置して前記計器板と対向する回路基板と、
前記第１光源が出射した光を受光し、受光した光を前記指標部及び前記輪郭部へと導光する導光体と、
前記回路基板と前記計器板との間に配置され、前記導光体を収納する導光体ケースと、
を備え、
前記導光体は、前記指標部の背後から前記指標部と前記輪郭部のうちの前記指標部近傍の部分とを覆う第１導光部と、前記第１導光部と繋がっており前記輪郭部の背後から前記輪郭部の他の部分を覆う第２導光部と、を備え、
前記第１導光部と前記第２導光部とによって、前記計器板の厚さ方向から見た場合に前記透過部及び前記表示装置が内部に位置する貫通孔が前記導光体に形成され、
前記導光体ケースは、前記計器板の厚さ方向から見た場合に前記透過部に対応した位置で前記貫通孔を貫き、前記表示装置を収納する収納室と、前記計器板の厚さ方向から見た場合に前記第１導光部と略同様の形状であり、前記第１導光部を収納する第１凹部と、前記第１凹部とで前記収納室を囲み、前記計器板の厚さ方向から見た場合に前記第２導光部と略同様の形状であり、前記第２導光部を収納する第２凹部と、を備え、
少なくとも前記第２凹部の側面は、前記導光体から到達した光を前記導光体へ反射する反射面を構成することによって、前記導光体による光の導光を補助し、
前記導光体は、導光した光を、前記第１導光部から出射することで前記指標部と前記輪郭部のうちの前記指標部近傍の部分とを照明するとともに、前記第２導光部から出射することで前記輪郭部の他の部分を照明する、
ことを特徴とする計器装置。
【請求項３】
前記回路基板は、前記表示装置と対向する位置に表示装置照明用光源を備え、
前記収納室は、前記表示装置を収納するとともに、前記計器板の厚さ方向から見た場合に前記表示装置照明用光源を取り囲み、かつ、前記表示装置照明用光源によって前記表示装置を照明させる照明室である、
ことを特徴とする請求項２に記載の計器装置。
【請求項４】
前記導光体は、背面に導光した光を反射する反射部をさらに備える、
ことを特徴とする請求項１乃至３のいずれか１項に記載の計器装置。
【請求項５】
前記第１導光部は、前記第１導光部の表面から前記計器板に向かって突出する凸部をさらに有し、
前記第１導光部の表面を基準とした前記凸部の高さは、前記第１凹部を構成する側壁の前記第１導光部の表面からの高さと略同じであり、前記凸部の先端は計器板と当接する、
ことを特徴とする請求項１乃至４のいずれか１項に記載の計器装置。
【発明の詳細な説明】
【技術分野】
【０００１】
本発明は、計器装置に関する。
【背景技術】
【０００２】
計器装置として、例えば、基板上の光源によって、計器装置の輪郭を表す輪郭部と計器装置の指針の指示対象である指標部とを照明する計器装置が知られている。例えば、引用文献１には、光源がリフレクタ（導光体ケース）に収納された導光体を介して指標部及び輪郭部の両方を照明する技術が開示されている。
【先行技術文献】
【特許文献】
【０００３】
【特許文献１】特開２００６−１９４６３６号公報
【発明の概要】
【発明が解決しようとする課題】
【０００４】
しかし、特許文献１に開示されている技術では、同一の導光体によって指標部と輪郭部とを照明できるが、導光体が指針近傍から輪郭部に連続して存在しているために、この導光体が邪魔をし、例えば、計器板の報知部を照明するための照明室や、所定の表示装置を収納する収納室を指針と輪郭部との間の、指針を基準として指標部の反対側の位置に設けることが困難であった。
【０００５】
本発明は、上記実情に鑑みてなされたものであり、指針と輪郭部との間の、指針を基準として指標部の反対側の位置に照明室や収納室を設けても、同一の導光体で輪郭部及び指標部を効率良く照明することが出来る計器装置を提供することを目的とする。
【課題を解決するための手段】
【０００６】
上記目的を達成するため、本発明の第１の観点に係る計器装置は、
１つ以上の計器を含む計器装置であって、
指針と、
前記指針の指示対象となる、目盛を含む指標部と、前記指針を基準として前記指標部の反対側に位置し、所定の情報を報知する報知部と、前記報知部と前記指針及び前記指標部とを囲み、前記計器の輪郭を表す輪郭部と、が設けられ、前記指針の背後に位置する計器板と、
光を出射する第１光源及び第２光源が設けられ、前記計器板の背後に位置して前記計器板と対向する回路基板と、
前記第１光源が出射した光を受光し、受光した光を前記指標部及び前記輪郭部へと導光する導光体と、
前記回路基板と前記計器板との間に配置され、前記導光体を収納する導光体ケースと、を備え、
前記第２光源は、前記報知部と対向しており、
前記導光体は、前記指標部の背後から前記指標部と前記輪郭部のうちの前記指標部近傍の部分とを覆う第１導光部と、前記第１導光部と繋がっており前記輪郭部の背後から前記輪郭部の他の部分を覆う第２導光部と、を備え、
前記第１導光部と前記第２導光部とによって、前記計器板の厚さ方向から見た場合に前記第２光源及び前記報知部が内部に位置する貫通孔が前記導光体に形成され、
前記導光体ケースは、前記計器板の厚さ方向から見た場合に前記第２光源及び前記報知部を囲むとともに前記貫通孔を貫き、前記第２光源によって前記報知部を照明させる照明室と、前記計器板の厚さ方向から見た場合に前記第１導光部と略同様の形状であり、前記第１導光部を収納する第１凹部と、前記第１凹部とで前記照明室を囲み、前記計器板の厚さ方向から見た場合に前記第２導光部と略同様の形状であり、前記第２導光部を収納する第２凹部と、を備え、
少なくとも前記第２凹部の側面は、前記導光体から到達した光を前記導光体へ反射する反射面を構成することによって、前記導光体による光の導光を補助し、
前記導光体は、導光した光を、前記第１導光部から出射することで前記指標部と前記輪郭部のうちの前記指標部近傍の部分とを照明するとともに、前記第２導光部から出射することで前記輪郭部の他の部分を照明する、
ことを特徴とする。
【０００７】
上記目的を達成するため、本発明の第２の観点に係る計器装置は、
１つ以上の計器を含む計器装置であって、
指針と、
表示装置と、
前記指針の指示対象となる、目盛を含む指標部と、前記指針を基準として前記指標部の反対側に位置し、前記表示装置の表示面から出射される光を透過し、前記表示面を視認可能にする透過部と、前記表示装置と前記指針及び前記指標部とを囲み、前記計器の輪郭を表す輪郭部と、が設けられ、前記指針の背後に位置する計器板と、
光を出射する第１光源が設けられ、前記計器板の背後に位置して前記計器板と対向する回路基板と、
前記第１光源が出射した光を受光し、受光した光を前記指標部及び前記輪郭部へと導光する導光体と、
前記回路基板と前記計器板との間に配置され、前記導光体を収納する導光体ケースと、
を備え、
前記導光体は、前記指標部の背後から前記指標部と前記輪郭部のうちの前記指標部近傍の部分とを覆う第１導光部と、前記第１導光部と繋がっており前記輪郭部の背後から前記輪郭部の他の部分を覆う第２導光部と、を備え、
前記第１導光部と前記第２導光部とによって、前記計器板の厚さ方向から見た場合に前記透過部及び前記表示装置が内部に位置する貫通孔が前記導光体に形成され、
前記導光体ケースは、前記計器板の厚さ方向から見た場合に前記透過部に対応した位置で前記貫通孔を貫き、前記表示装置を収納する収納室と、前記計器板の厚さ方向から見た場合に前記第１導光部と略同様の形状であり、前記第１導光部を収納する第１凹部と、前記第１凹部とで前記収納室を囲み、前記計器板の厚さ方向から見た場合に前記第２導光部と略同様の形状であり、前記第２導光部を収納する第２凹部と、を備え、
少なくとも前記第２凹部の側面は、前記導光体から到達した光を前記導光体へ反射する反射面を構成することによって、前記導光体による光の導光を補助し、
前記導光体は、導光した光を、前記第１導光部から出射することで前記指標部と前記輪郭部のうちの前記指標部近傍の部分とを照明するとともに、前記第２導光部から出射することで前記輪郭部の他の部分を照明する、
ことを特徴とする。
【発明の効果】
【０００８】
本発明の第１の観点に係る計器装置によれば、指針と輪郭部との間の、指針を基準として指標部の反対側の位置に照明室を設けても、同一の導光体で輪郭部及び指標部を効率良く照明することが出来る計器装置を提供することができる。
本発明の第２の観点に係る計器装置によれば、指針と輪郭部との間の、指針を基準として指標部の反対側の位置に収納室を設けても、同一の導光体で輪郭部及び指標部を効率良く照明することが出来る計器装置を提供することができる。
【図面の簡単な説明】
【０００９】
【図１】本発明の一実施形態に係る計器装置の正面図である。
【図２】図１におけるＡ−Ａ概略断面図である。
【図３】図２の回路基板及び導光体ケースの正面図である。
【図４】図２の導光体及び導光体ケースの分解斜視図である。
【図５】図１の計器装置における導光体ケースの平面図である。
【図６】図１におけるＣ−Ｃ概略断面図である。
【発明を実施するための形態】
【００１０】
以下、本発明の一実施形態について図面を参照して説明する。また、以下では、計器装置１００を正面視するユーザ側の方向を「表」とし、その逆方向を「裏」として説明する。さらに、計器装置１００が正面視するユーザから見て、上方向を「上」、下方向を「下」、左方向を「左」、右方向を「右」として説明する。
【００１１】
（第１実施形態）
第１実施形態に係る計器装置１００は、図１に示すように、左から順に、水温計１０と、速度計２０と、燃料計３０と、を備える。第１実施形態に係る計器装置１００は、例えば自動車、二輪車等の車両に搭載され、速度計２０は車両の速度を、水温計１０は車両のエンジンオイルの温度を、燃料計３０は燃料残量を、ユーザ（車両の運転者）に報知する。以下では、計器装置１００の詳細な構造を説明するに当たって、適宜燃料計３０を例として説明する。速度計２０及び水温計１０は、燃料計３０と同様の構成を有するので、詳細な説明は燃料計３０に準じる。
【００１２】
計器装置１００は、図２に示すように、計器板４０と、回路基板５０と、指針６０と、導光体ケース７０と、導光体８０と、表側ケース９０と、裏側ケース９５と、を備える。ここで、計器板４０と、回路基板５０と、導光体ケース７０と、表側ケース９０と、裏側ケース９５と、の各部材は、水温計１０と、速度計２０と、燃料計３０とに共通して設けられるものである。
【００１３】
図２に示す計器板４０は、合成樹脂等から形成され、透光性を有するシート状の部材である基板４２と、基板４２の表面及び／又は裏面に、例えば、インクを印刷、塗装することによって形成された、基板４２を加飾する加飾層と、を備える。この加飾層によって、図１に示すような、指標部４６と、警告報知部４８と、輪郭部４９と、が表現される。つまり、基板４２に上記のように加飾層を設けることによって基板４２が加飾され、指標部４６と、警告報知部４８と、輪郭部４９と、が基板に形成され、計器板４０は、これら各部を備えることになる。なお、加飾層によって、水温計１０及び速度計２０についての指標部や輪郭なども表現されている。計器板４０は、指針６０の背後（裏）に位置する。
【００１４】
指標部４６は、燃料計３０の指標部である。指標部４６は、燃料計３０の指針６０によって指示される指示対象である。具体的には、燃料計３０の指標部４６は、図１に示すように、略半円弧形状に沿って配列される複数の目盛４６ａと、目盛４６ａに対応して配列されている記号４６ｂと、を含む領域から形成されている。記号４６ｂは、図１に示すように、燃料が空であることを示す「Ｅ」（Ｅｍｐｔｙ）、及び燃料が満タンであることを示す「Ｆ」（Ｆｕｌｌ）という文字、「Ｆ」と「Ｅ」の間で燃料計３０が燃料残量についての計器であることを示す図形などからなっている。例えば、目盛４６ａ及び記号４６ｂとその周囲の所定領域が異なる色で色分けられることによって、指標部４６が表現される。また、目盛４６ａ及び記号４６ｂは遮光性を有し、その周囲の所定領域は透光性を有するように、両者は形成される。指標部４６の前記所定領域は、計器板４０（指標部４６）の裏からの光を透過するが、目盛４６ａ及び記号４６ｂの部分は光を透過しない。このような透過と非透過との差違によって、暗い場所でもユーザは指標部４６を視認できる（つまり、指標部４６の目盛４６ａなどを視認できる）。明るい場所においては、ユーザは、目盛４６ａ及び記号４６ｂとその周囲の所定領域との外光の反射の差違（色分けによって生じる差異）によって、指標部４６を視認できる（つまり、指標部４６の目盛４６ａなどを視認できる）。
なお、指標部４６は、目盛４６ａ及び記号４６ｂが透光性を有し、その周囲が遮光性を有するように、形成されてもよい（所謂抜き文字印刷など）。これによっても、上記と同様に、ユーザは指標部４６を視認できる（つまり、指標部４６の目盛４６ａなどを視認できる）。
【００１５】
警告報知部４８は、図１に示すように、指針６０近傍に位置し、所定の警報情報を表す複数の警告マーク４８ａ（具体的な図形は図示しない）等からなる。各警告マーク４８ａは、警告報知部４８が占める領域内の所定の位置に配置されている。少なくとも一部の警告マーク４８ａ（報知部）は、図１に示すように、計器装置１００を表側（計器板４０の厚み方向）から見た場合に指針６０を基準にして指標部４６の反対側の、すなわち右側の領域に位置する。各警告マーク４８ａ（報知部）は、図２及び図５に示すように、後述の第２光源５８と対向することにより第２光源５８によって照明される（図５において、警告マーク４８ａを想像線で表した）。各警告マーク４８ａは、例えば、ユーザがエンジン始動中にシートベルトを着用していないこと（以下、シートベルト非着用警告灯という）、燃料タンク内の燃料残量が所定の量以下になったこと（以下、燃料残量警告灯という）、ドアやトランク等が完全に閉まっていないこと（以下、ドア／テールゲート開閉警告灯という）等の所定の情報を報知するマーク（図形）である。つまり、警告報知部４８（各警告マーク４８ａ）は、所定の警告をユーザに報知するものである。燃料残量警告灯は、例えば、燃料タンク内の燃料残量が所定の量以下になったことを表す図形が透光性を有し、その周囲の所定領域が遮光性（例えば、遮光性を有する白色）を有するように形成される。これによって、燃料残量警告灯が燃料タンク内の燃料残量が所定の量以下になったことを表現する。他の警告マーク４８ａも同様に、透光性を有する部分と遮光性を有する部分とで形成される。警告マーク４８ａの前記所定領域（遮光性の領域）は、計器板４０（警告マーク４８ａ）の裏からの光を透過しないが、所定の警報情報を表す図形（透光性の領域）は光を透過する。このような警告マーク４８ａの裏側からの照明によって、ユーザは、警告マーク４８ａを視認できる。つまり、警告がユーザに報知される。なお、警告マーク４８ａは、前記裏からの光（後述の第２光源５８からの光）によって照明されたときにのみ（つまり、警告マーク４８ａによってユーザに警告を報知したい場合にのみ）、ユーザが視認可能であるように形成されている。例えば、遮光性を有する部分と透光性を有する部分（図形部分）との上に透光性を有する白色層を形成するようにして、透光性を有する部分と遮光性を有する部分との色分けを行わないことによって、外光の反射では警告マーク４８ａをユーザが視認出来ないように形成する。
なお、警告マーク４８ａは、前記図形が透光性を有し、前記所定領域が遮光性を有するように形成されてもよい（所謂抜き文字印刷など）。これによっても、透光性を有する部分と遮光性を有する部分とにおける光の透過／非透過によって、ユーザは警告マーク４８ａを視認できる（つまり、シートベルト非着用警告灯、燃料残量警告灯などを視認できる）。
なお、本実施形態では報知部の一例として、警告マーク４８ａを採用しているが、報知部は、所定の情報をユーザに報知するものであればよく、他のマークなどから構成されるものであってもよい。
【００１６】
輪郭部４９は、図１に示すように、燃料計３０の輪郭を表す。なお、輪郭とは、各計器の領域や、他の計器との境界等を表すものである。輪郭部４９は、図１に示すように、円環状に形成され、計器装置１００を表側から見た場合に指標部４６、指針６０、及び警告報知部４８の外周を取り囲んで設けられている。輪郭部４９は、輪郭部４９の部分とその周囲の所定領域とが異なる色で色分けられることによって表現される。また、輪郭部４９は、透光性又は遮光性を有する。例えば、目盛４６ａ及び記号４６ｂが透光性を有し、かつ目盛４６ａ及び記号４６ｂの周囲が遮光性を有している場合には、輪郭部４９に透光性を持たせ、その周囲の領域を非透過の領域とすることで、暗い場所でも輪郭部４９の裏側から光を透過させることで燃料計３０の輪郭を表すことができる。また、輪郭部４９に遮光性を持たせ、その周囲の領域を透光性の領域とすることで、暗い場所でも輪郭部４９の裏側から光を透過させることで燃料計３０の輪郭を表すことができる。なお、目盛４６ａ及び記号４６ｂが遮光性を有し、かつ輪郭部４９が透光性を有している場合には、輪郭部４９と指標部４６（特に目盛４６ａ）とが重なってもいてもよい。つまり、目盛４６ａ及び記号４６ｂ（又は目盛４６ａのみ）は、輪郭部４９上に配列されていてもよい。
輪郭部４９は、図１又は図５に示すように、半円弧状の形状である左輪郭部４９ａと、半円弧状の形状である右輪郭部４９ｂと、から構成される（図５において、輪郭部４９を想像線で表した。）。左輪郭部４９ａは、指針６０を介して警告報知部４８と対向する部分、すなわち指針６０を基準に指標部４６側の部分（指標部４６近傍の部分）である。右輪郭部４９ｂは、指針６０を介して指標部４６と対向する（指針６０を介して指標部４６の反対にある）部分、すなわち警告報知部４８側の部分である。本実施形態では、左輪郭部４９ａと右輪郭部４９ｂとは、図１に示すように、指針６０の中心（回転軸５６ａの中心）を通って上下方向に延びる線Ｂ−Ｂを境界とするものとする。
【００１７】
計器板４０には、例えば、燃料計３０の中心の位置に、基板４２の厚さ方向に沿って貫通する孔４４がさらに設けられている。孔４４には、指針６０（後述の回転軸５６ａであってもよい。）が回転可能に挿通されている。なお、同様に、計器板４０には、速度計２０の指針及び水温計１０の指針それぞれが回転可能に挿通された孔が形成されている。
【００１８】
回路基板５０は、図２に示すように、基材５２と、孔５４と、駆動本体５６と、複数の第１光源５７と、複数の第２光源５８と、複数の第３光源５９と、制御部（図示しない）と、各種配線（図示しない）と、を備える。回路基板５０は、計器板４０の背後（裏）に位置し、計器板４０と対向している。制御部は、ＣＰＵ（Ｃｅｎｔｒａｌ  Ｐｒｏｃｅｓｓｉｎｇ  Ｕｎｉｔ）等の電子部品を含む電子回路である。制御部は、計器装置１００の外部装置、駆動本体５６、各光源等に所定の配線を介して接続されている。制御部は、燃料残量を監視している外部装置から送られた信号（燃料残量データを表す信号等）に応じて駆動本体５６等を駆動・制御する。また、ＥＣＵ（Ｅｌｅｃｔｒｏｎｉｃ  Ｃｏｎｔｒｏｌ  Ｕｎｉｔ）等の外部装置から送られた信号に応じて各光源等を駆動・制御する。なお、回路基板５０は、水銀計１０、速度計２０、及び燃料計３０に共有されているものである。
【００１９】
基材５２は、ガラスエポキシ等から形成される板状の部材である。基材５２には、図２に示すように、表側から見た場合、孔４４と重なるように孔５４が形成さえている。
【００２０】
駆動本体５６は、例えば、ステッピングモータ等で構成されている。駆動本体５６は、図２に示すように基材５２の裏面に実装されている。駆動本体５６は、回路基板５０の裏側から表側に向かって延びる回転軸５６ａを有する。回転軸５６ａは、孔５４、後述の光案内路７２、孔４４を通って、計器板４０の表側に突き出す。駆動本体５６は、制御部の制御の下で回転軸５６ａを回転させる。
【００２１】
各第１光源５７は、トップビュー型のＬＥＤ（Ｌｉｇｈｔ  Ｅｍｉｔｔｉｎｇ  Ｄｉｏｄｅ）等から構成されている。各第１光源５７は、図２又は図３に示すように、回路基板５０の表面に取り付けられている（第１光源５７の断面を表すハッチングは省略されている）。各第１光源５７は、回路基板５０の表面から略法線方向（計器板の厚み方向）に向かって光を出射し、導光体８０を介して指標部４６及び輪郭部４９を照明する。なお、図３において、第１光源５７は、基材５２上に４つ取り付けられているが、この数に限られない。上述の制御部は、外部から供給される信号に応じて、第１光源５７を発光させたり消灯させたりする。
【００２２】
各第２光源５８は、トップビュー型のＬＥＤ等から構成されている。各第２光源５８は、図２に示すように、警告マーク４８ａの裏側に位置し（警告マーク４８ａと対向し）、回路基板５０の表側の面に取り付けられている（第２光源５８の断面を表すハッチングは省略されている）。また、計器装置１００を表側から見た場合には、各第２光源５８は、図２又は図５に示すように、指針６０と輪郭部４９との間に位置する（図５において、第２光源５８を想像線で表した）。第２光源５８は、それぞれ対応（対向）する警告マーク４８ａを照明する。つまり、第２光源５８は、警告マーク４８ａと同じ数だけ回路基板５０に取り付けられ、回路基板５０の表面から略法線方向（計器板の厚み方向）に向かって光を出射し、対応する警告マーク４８ａをそれぞれ照明する。例えば、燃料残量警告灯には、専用の（燃料残量警告灯を照明するための）第２光源５８が回路基板５０に１つ取り付けられている。なお、図３において、第２光源５８は、基材５２上に５つ取り付けられているが、この数に限られず、設けたい警告マーク４８ａの数によって変わる。例えば、警告マーク４８ａが１０個ある場合には、第２光源５８も基材５２上に１０個だけ取り付ける。上述の制御部は、外部から供給される信号に応じて、第２光源５８を発光させたり消灯させたりする。
【００２３】
各第３光源５９は、トップビュー型のＬＥＤ等から構成されている。各第３光源５９は、図２又は図３に示すように、回路基板５０の表側の面、かつ孔５４の近傍に取り付けられている（第３光源５９の断面を表すハッチングは省略されている）。第３光源５９は、回路基板５０の表面から略法線方向（計器板の厚み方向）に向かって光を出射し、指針６０を照明する。なお、図３において、孔５４の近傍に第３光源５９は、基材５２上に２つ取り付けられているが、この数に限られない。上述の制御部は、外部から供給される信号に応じて、第３光源５９を発光させたり消灯させたりする。
【００２４】
指針６０は、図２に示すように、回転軸５６ａの先端に取り付けられている。指針６０は、例えば合成樹脂等から形成されている。指針６０は、回転軸５６ａの回転により計器板４０上（つまり、計器板４０は指針６０の背後に位置している。）を回転し、指標部４６における、目盛４６ａや目盛４６ａ又は記号４６ｂの間等を指示する。上述の制御部は、外部から供給される燃料残量データ（計測量）に応じた回転角で、回転軸５６ａを回転させる。この回転に伴って指針６０は軸周りで回転するので、指針６０は燃料残量に応じた角度で回転して指標部４６を指示し、燃料残量をユーザに報知する。
【００２５】
導光体８０は、図４に示すように、複数の受光部８２と、貫通孔８３と、第１導光部８４と、第２導光部８６と、を備える（図２において、導光体８０の断面を表すハッチングを省略した）。導光体８０は、合成樹脂等で一体成形され、透明の部材である。導光体８０は、指標部４６及び輪郭部４９と重なり合うような形状である。
【００２６】
受光部８２は、図２に示すように、第１光源５７と対向する。受光部８２は、第１光源５７が出射した光を受光し、受光した光を第１導光部８４に導光する。なお、受光部８２は、第１光源５７と同じ数だけ設ける。
【００２７】
第１導光部８４は、図２及び図４に示すように、略方形に形成され、表側から見た場合に指標部４６の裏側、及び、本実施形態において輪郭部４９のうちの指標部４６近傍の部分に該当する左輪郭部４９ａの裏側（背後）に位置し、指標部４６及び左輪郭部４９ａ（特に透光性を有する領域）を裏側から覆う。
【００２８】
第２導光部８６は、図４に示すように、計器装置１００を表側から見た場合、右輪郭部４９ｂに対応した形状であり、具体的には半円弧状の形状である。第２導光部８６は、図２又は図４に示すように、計器装置１００を表側から見た場合、右輪郭部４９ｂの裏側（背後）に位置し、本実施形態において輪郭部４９の指標部４６近傍以外の部分に該当する右輪郭部４９ｂ（特に透光性を有する領域）を裏側から覆う。第２導光部８６は、両端が第１導光部８４と繋がっており、第１導光部８４と第２導光部８６とは、後述の照明室７４を取り囲むように設けられる。
【００２９】
貫通孔８３は、略半円形状で形成された空間である。貫通孔８３は、第２導光部８６の両端が第１導光部８４に繋がることによって形成され、計器装置１００を表側から見た場合に、内部に、複数の第２光源５８と後述の照明室７４とが位置している。
【００３０】
なお、導光体８０は、裏面に複数の微小な凹凸形状の凹凸部８０ａ（反射部として機能するものである。）を備えてもよい（図２参照）。この凹凸形状により、導光体８０の裏面に到達した光は、計器板４０の方向へ拡散反射する。このような凹凸部８０ａによって、導光体８０の導光効率が良くなる（詳しくは後述）。凹凸部８０ａは、第１光源５７から遠くなるほど凹凸の密度が高くなるように形成される。
【００３１】
導光体ケース７０は、図４に示すように、光案内路７２と、複数の照明室７４と、第１凹部７６ａ及び第２凹部７６ｂから構成される凹部７６と、孔７９と、を備える。導光体ケース７０は、例えば、ポリプロピレン（ＰＰ）樹脂の射出成形で形成された、白色の部材である。導光体ケース７０は、図２に示すように、計器板４０と回路基板５０との間に配置されている。導光体ケース７０は、導光体８０を収納する。孔７９は、回路基板５０方向に貫通しており、後述する、第１導光部８４の一部及び受光部８２が挿入される。
【００３２】
各照明室７４は、側壁部７４ａと、底面部７４ｂと、空間部７４ｃと、を備える。各照明室７４は、図２又は図３に示すように、回路基板５０から計器板４０の方向に延びた形状で形成され、貫通孔８３を貫く（導光体ケース７０の立体形状についての詳細は後述する）。各照明室７４は、計器装置１００を表側から見た場合に、第２光源５８及び警告報知部４８を囲む。各照明室７４は、各第２光源５８から計器板４０の警告マーク４８ａに至る空間（第２光源５８からの光を警告マーク４８ａまで到達させる光路を構成する空間）を形成し、各第２光源５８によって警告マーク４８ａを照明させる。各照明室７４は、設けられている位置などに応じて、表側から見たときの形状が異なる。例えば図３に示すように、各照明室７４は、計器装置１００を表側から見た場合にそれぞれ略四角形状や略四分円形状で設けられている。照明室７４は、各第２光源５８に対してそれぞれ設けられている。つまり、１つの第２光源５８につき、１つの照明室７４が割り当てられる。側壁部７４ａは、図４に示すように、回路基板５０から計器板４０の方向に延び、第２光源５８を取り囲むような形状で形成されている。側壁部７４ａは、図３又は図４に示すように、各第２光源５８から出射した光が互いに干渉しないように、隣り合う照明室７４（光案内路７２も含む）との間を仕切る。底面部７４ｂには、図２に示すように、表側から見た場合に、略中央に貫通孔が形成されている（図３において、底面部７４ｂを省略した）。空間部７４ｃは、側壁部７４ａによって形成された空間部である。第２光源５８からの光は、前記貫通孔を介して空間部７４ｃに入射する。これによって、光が回路基板５０側から漏れることを軽減する。
【００３３】
第１凹部７６ａは、図４に示すように、表から裏方向に凹み、表側から見た場合に第１導光部８４と略同様の形状である。また、第１凹部７６ａは、図５に示すように、表側から見た場合に指標部４６と重なる（図５において、指標部４６を想像線で表した）。第１凹部７６ａは、図２又は図４に示すように、第１導光部８４を収納し、その内面は、第１導光部８４と近接又は当接している。第１凹部７６ａの内面（側面及び底面）は、導光体ケース７０が白色で形成されているため、反射面として機能する。
【００３４】
第２凹部７６ｂは、図４に示すように、表から裏方向に凹み、表側から見た場合に第２導光部８６と略同様の形状である。第２凹部７６ｂは、図２又は図４に示すように、第２導光部８６を収納し、その内面は、第２導光部８６と近接又は当接している。第２凹部７６ｂの側面及び底面は、導光体ケース７０が白色で形成されているため、反射面として機能する。第１凹部７６ａと第２凹部７６ｂとによって、照明室７４が囲まれている。
【００３５】
なお、各凹部の側面及び底面に金属調のメッキを施してもよいが、導光体ケース７０が白色で形成されているため、そのようなメッキを施すことなく光を反射できる。このため、メッキを施すなどの作業を必ずしも必要としないので、製造コストを抑えることができる。
【００３６】
光案内路７２は、図２に示すように、計器板４０の孔４４及び回路基板５０の孔５４に対応する位置で、複数の第３光源５９を囲むように形成された空間である。
【００３７】
ここで、図３を参照しながら、導光体ケース７０がどのような立体形状になっているかを更に詳しく説明する。図３において、格子状の線を付した箇所は、回路基板５０を表し、斜線状の線を付した箇所、ドットを付した箇所、及び白抜きで表した箇所は、導光体ケース７０を示す（なお、第１光源５７、第２光源５８、第３光源５９、回転軸５６ａ、孔５４も白抜きで表した）。導光体ケース７０は、斜線状の線を付した箇所、ドットを付した箇所、白抜きで表した箇所の順に繋がっている。斜線状の線を付した導光体ケース７０は回路基板５０から表に向かう傾斜の形状で形成されている。ドットを付した部分は、回路基板５０に対して略平行であり、略平坦な形状で形成されている。白抜きで表した部分は、側壁部７４ａの表側の面を示し、表側方向に対して同じ高さである。つまり、白抜きで表した部分は、ドットを付した部分から表方向に同じ高さで立設している。
【００３８】
図２に戻って、表側ケース９０は、ガラスケース９０ａと、バイザー９０ｂと、を備える。ガラスケース９０ａは、例えば、視光透過性のあるガラス又は合成樹脂等から形成された、透明の部材である。バイザー９０ｂは、例えば、硬質合成樹脂から形成され、黒色系であり、光を遮光する。ガラスケース９０ａとバイザー９０ｂとは、一体化し表側ケース９０を構成する。
【００３９】
裏側ケース９５は、例えば硬質合成樹脂等で形成されている。裏側ケース９５は、表側及び裏側が開口状で形成され、回路基板５０と、指針６０と、計器板４０と、導光体ケース７０と、導光体８０とを挟み込んで表側ケース９０と一体化する。
【００４０】
次に、第１光源５７から出射した光の経路について説明する。
【００４１】
左輪郭部４９ａ及び指標部４６を照明する光の経路について説明する。第１光源５７が出射した光は、導光体８０の受光部８２に向かって進む。受光部８２に到達した光は、第１導光部８４の内部に導かれ、第１導光部８４内で導光される。このとき、第１導光部８４の側面、底面から出射される光は、適宜、第１凹部７６ａの側面、底面で反射され、第１導光部８４内に再度入射されるので、第１導光部８４で導光される光は、導光損失（導光される光の光量の減少度）が少なくなっている。第１導光部８４内部で導光された光の一部は、第１導光部８４の表面から計器板４０方向に面状に出射される。この第１導光部８４の表側から出射された光は、計器板４０（左輪郭部４９ａ及び指標部４６）に到達する。これによって、左輪郭部４９ａ及び指標部４６は照明され、照明光は透過性を有する部分を透過し、ユーザは、左輪郭部４９ａ及び指標部４６を視認できる。
【００４２】
右輪郭部４９ｂを照明する光の経路について説明する。上記第１導光部８４内部で導光された光の他の一部は、第２導光部８６に導かれ、第２導光部８６内で導光される。このとき、第２導光部８６の側面、底面から出射される光は、適宜、第２凹部７６ｂの側面、底面で反射され、第２導光部８６内に再度入射されるので、第２導光部８６で導光される光は、導光損失が少なくなっている。そして、第２導光部８６内部で導光された光は、第２導光部８６の表面から計器板４０方向に面状に出射される。第２導光部８６の表面から出射された光は、計器板４０（右輪郭部４９ｂ）に到達する。これによって、右輪郭部４９ｂは照明され、照明光は透過性を有する部分を透過し、ユーザは、右輪郭部４９ｂを視認できる。
【００４３】
次に、第２光源５８から出射した光の経路（警告報知部４８（各警告マーク４８ａ）が発光するまでの過程）について、燃料残量が所定の量以下になった場合を用いて説明する。水銀計１０の外部装置（燃料残量を監視している装置）は、燃料残量が所定の量以下になったと判断すると、この判断（情報）を電気信号として上記制御部へ伝達する。上記制御部は、この電気信号を受け取ったのちに、燃料残量警告灯に対向する第２光源５８を制御して点灯させ、第２光源５８から光を出射させる。そして、第２光源５８から出射した光が燃料残量警告灯裏側の照明室７４を介して計器板４０（燃料残量警告灯）に到達する。このとき、照明室７４の内壁で、第２光源５８からの光は、適宜反射されるので、損失が少なく計器板４０に到達する。このようにして、警告マーク４８ａは照明され、光は透過性を有する部分を透過し、ユーザは、警告マーク４８ａを視認できる。なお、上記制御部の制御の下、燃料残量警告灯（警告マーク４８ａ）を点滅させることで報知をしてもよい。
【００４４】
次に、第３光源５９から出射した光の経路について説明する。第３光源５９は、指針６０（指針６０における、回転軸５６ａに取り付けられた箇所の近傍）に向かって光を出射する。そして、指針６０は、図示しない受光面で光を受光して発光する。
【００４５】
次に導光体ケース７０について説明する。仮に凹部７６（第１凹部７６ａ及び第２凹部７６ｂ）の側面が反射面（白色）でない場合、導光体８０の側面から出射された光が凹部７６の側面に到達しても、凹部７６の側面が反射面でないため凹部７６の側面で反射されない。このため、導光体８０から各凹部の側面に到達した光が導光体８０に反射されて導光体８０に戻される可能性は低くなり、導光体８０に戻らない分だけ導光体８０によって指標部４６及び輪郭部４９に導光される光が減少する。つまり、導光体８０が導光する光の光量が減少する。そこで、本実施形態では、第１凹部７６ａ及び第２凹部７６ｂから構成される凹部７６の側面に反射面を形成し、この反射面によって導光体８０から凹部７６の側面に到達した光を導光体８０に反射することで、導光体８０によって導光される光が減少しにくくなる。よって、本実施形態では、導光される光の減少度が少なくなった分だけ、導光体８０が輪郭部４９又は指標部４６へ効率よく光を導光するので、輪郭部４９又は指標部４６を効率よく照明することができる。
【００４６】
次に、導光体８０及び導光体ケース７０について説明する。本実施形態に係る導光体８０は、第１導光部８４と第２導光部８６とによって、指標部４６と輪郭部４９とを裏から覆いつつも、計器装置１００を表側から見た場合に光案内路７２及び照明室７４が貫通孔８３の内部に位置するように形成されている。この結果、導光体８０は、光案内路７２及び照明室７４の邪魔にならない。この導光体８０を用いて光を導光した場合に、通常光は真っ直ぐに進む性質があるので、第２導光部８６が、半円弧状の形状になっていると、光を導光することが困難である。しかし、本実施形態では、第２凹部７６ｂの側面に反射面を形成し、この反射面によって第２導光部８６から第２凹部７６ｂの側面に到達した光を第２導光部８６に反射させることで、導光体８０によって導光される光が全体として円弧形状に沿って進む。つまり、本実施形態に係る第２凹部７６ｂによって、第２導光部８６は、真っ直ぐ進むはずの光を、半円弧状の形状に沿って導光することができる（導光を補助することが出来る）。以上のように、導光体８０は、光案内路７２及び照明室７４を避けながら指標部４６と輪郭部４９とを裏から覆っているとともに、第２凹部７６ｂによって導光が補助されるので、指標部４６と輪郭部４９とを効率よく照明することができる。
【００４７】
このように、本実施形態に係る計器装置１００は、指標部４６と、指針６０を基準として指標部４６の反対側に位置する警告マーク４８ａと、警告マーク４８ａと指針６０とを囲む輪郭部４９と、が設けられ、指針６０の背後に位置する計器板４０と、第１光源５７及び第２光源５８が設けられて計器板４０と対向する回路基板５０と、第１光源５７が出射した光を受光し、受光した光を指標部４６及び輪郭部４９へと導光する導光体８０と、回路基板５０と計器板４０との間に配置され、導光体８０を収納する導光体ケース７０と、を備える。そして、第２光源５８は、警告マーク４８ａと対向し、導光体８０は、指標部４６と左輪郭部４９ａとを背後から覆う第１導光部８４と、第１導光部８４と繋がっており右輪郭部４９ｂを背後から覆う第２導光部８６と、を備える。そして、第１導光部８４と第２導光部８６とによって、計器板４０の厚さ方向から見た場合に第２光源５８及び警告マーク４８ａが内部に位置する貫通孔８３が導光体８０に形成される。さらに、導光体ケース７０は、計器板４０の厚さ方向から見た場合に第２光源５８及び警告マーク４８ａを囲むとともに貫通孔８３を貫き、第２光源５８によって警告マーク４８ａを照明させる照明室７４と、第１導光部８４と略同様の形状であり、第１導光部８４を収納する第１凹部７６ａと、第１凹部７６ａとで照明室７４を囲み、第２導光部８６と略同様の形状であり、第２導光部８６を収納する第２凹部７６ｂと、を備える。そして、少なくとも第２凹部７６ｂの側面は、導光体８０（第２導光部８６）から出射され到達した光を導光体８０（第２導光部８６）へ反射する反射面を構成することによって、導光体８０（第２導光部８６）による光の導光を補助し、導光体８０は、導光した光を、第１導光部８４から出射することで指標部４６及び左輪郭部４９ａを照明するとともに、第２導光部８６から出射することで右輪郭部４９ｂを照明する。このような構成によって、本実施形態に係る計器装置１００では、指針６０と輪郭部４９との間の、指針６０を基準として指標部４６の反対側の位置に照明室７４を設けても、同一の導光体８０で輪郭部４９及び指標部４６を効率良く照明することが出来る。
【００４８】
なお、一般に、導光体の光源に近い部分では光源から供給され導光される光の量は多いが、第１光源５７に遠い部分では光源から供給され導光される光の量は少なくなる場合がある。つまり、照明ムラが発生する場合がある。本実施形態では、導光体８０の裏面に、第１光源５７から遠くなるほど凹凸の密度が高くなる凹凸部８０ａを設けることで、導光体８０は、第１光源５７から遠い箇所すなわち到達する光の量が少ない箇所で、より多くの光を裏面から拡散反射させる。このように導光体８０に設けられた凹凸部８０ａは、反射部として機能する。このため、輪郭部４９及び指標部４６における第１光源５７から遠い部分が、凹凸部８０ａを設けていない場合に比べて光をより多く受光する。よって、第１光源５７から近い部分と遠い部分とで照明の明るさの差が縮まり、輪郭部４９及び指標部４６の照明ムラが軽減される。凹凸部８０ａは、例えば、導光体８０の裏面に円錐状（例えば、底面と側面とのなす角が４５°の円錐）の窪みが複数設けられることにより形成される。なお、本実施形態では、凹凸部８０ａを導光体が導光する光を反射する反射部として機能させたが、導光体８０の裏面に金属調のメッキを施すことによって、このメッキを反射部として機能させてもよい。
【００４９】
なお、第１導光部８４は、表面に表方向に突出し、計器板４０の裏面と当接する凸部８５をさらに有している。第１導光部８４の表面を基準としたときに、凸部８５の高さは、第１凹部７６ａの側面（前記第１凹部を構成する側壁）の高さと略同じである。この凸部８５を計器板４０に当接させることで、製造過程で生じてしまう、導光体８０と計器板４０との隙間を調節することができ、車両の走行中における外部からの様々な衝撃、振動等による計器板４０又は導光体ケース７０との接触を抑えることができる。仮に、凸部８５を計器板４０に当接させないと、導光体８０と計器板４０との隙間によって、導光体８０が計器板４０と導光体ケース７０との間で振動する。以上のように、変形例２では、凸部８５を計器板４０に当接させることで、導光体８０が計器板４０と導光体ケース７０との間で振動することが抑えられ、この振動による計器板４０、導光体ケース７０、導光体８０等の破損をおさえる。特に、計器板４０の裏面に形成された各指標部の塗装がはがれにくくなる。
【００５０】
（第２実施形態）
第２実施形態では、警告報知部４８の代わりに液晶ディスプレイなどの表示装置が用いられる。このような構成を、第１実施形態の速度計２０によって説明する。速度計２０の表示装置以外の構成については、第１実施形態と略同様である。したがって、速度計２０の説明にあたって、同様の構成について適宜省略して説明し、速度計２０の表示装置を中心に説明する。
【００５１】
図１に示すように、速度計２０は、所定の情報を表示する表示装置２８を備える。表示装置２８は、例えば、表示装置照明用光源２９によって照明される液晶ディスプレイなどの表示装置である。計器板４０は、図６に示すように、表示装置２８用の透過部２７を備える。透過部２７は、表示装置２８の表示面を露出させ、ユーザに表示面（表示装置２８によって表示された情報）を視認させるための光（表示装置２８の表示面から出射される光）を透過する部分である。透過部２７は、例えば、計器板４０に形成された貫通孔であってもよいし、透明な部分（例えば、基板４２の加飾層が形成されていない部分）によって構成されてもよい。導光体ケース７０は、複数の照明室７４ではなく、図６に示すように、表示装置２８を収納できるような形状の照明室２５を１つ備える。この照明室２５に対応して、回路基板５０は、照明室２５に囲まれた、表示装置照明用光源２９を１つ備える。表示装置照明用光源２９は、表示装置２８に対向している。透過部２７は、計器板４０の下側（第１実施形態では警告報知部４８に相当する場所）に位置し、表示装置照明用光源２９と対向する。透過部２７は、計器装置１００を表側から見た場合に導光体８０の貫通孔８３の内部に位置する。表示装置２８は、計器板４０の表面から突き出ることなく照明室２５内に収納されている。本実施形態では、照明室２５は、表示装置２８の収納室としても機能している。表示装置２８は、照明室２５に囲まれた表示装置照明用光源２９と対向しているので、照明室２５を介して照明される。表示装置２８は、上記制御部の制御の下で、所定の情報（例えば、走行距離等）を報知する。
【００５２】
このように、複数の照明室７４が表示装置２８を収納する一つの照明室２５に変わり、警告マーク４８ａが透過部２７に変わっても、速度計２０の構成は、第１実施形態の燃料計３０の構成と略同様である。このため、速度計２０における、指針、輪郭部、及び指標部において、指針と輪郭部との間の、指針を基準として指標部の反対側の位置に比較的に大きな部屋からなる照明室２５を設けても、同一の導光体８０で輪郭部及び指標部を効率良く照明することが出来る。
【００５３】
（変形例）
なお、本発明は、上記実施形態に限定されず、上記実施形態の内容は適宜変更可能である。以下に、上記実施形態の変形例を示すが、下記の変形例は適宜組み合わせることができる。また、上記各実施形態の構成も適宜組合せることができる。
【００５４】
（変形例１）
なお、輪郭部４９は、略円環状や略多角環状（多角形の輪郭に沿った形状）の形状であればよい。略円環状の形状には、略真円（真円も含む）の円環状の形状（上記実施形態参照）や、略楕円（楕円も含む）の円環状の形状が含まれる。輪郭部４９は、上記実施形態では、連続的に繋がったものであるが、途切れ途切れの不連続の形状（例えば、破線状、点線状の形状）であってもよい。右輪郭部４９ｂも、指針６０を介して、指標部４６に対向するものであればよく、その形状は特に限定されない。左輪郭部４９ａも同様である。左輪郭部４９ａ及び右輪郭部４９ｂは、上記実施形態では半円弧形状に形成されているが、略円弧形状に形成されていればよく、半円弧形状でなくてもよい。略円弧には、略真円の円弧及び略楕円の円弧が含まれる。
【００５５】
（変形例２）
表示装置２８は、自発光型のディスプレイ（例えば、有機ＥＬ（Ｅｌｅｃｔｒｏ−Ｌｕｍｉｎｅｓｃｅｎｃｅ）ディスプレイ）であってもよい。この場合、照明室２５は表示装置２８を収納する収納室であればよく、表示装置照明用光源２９や、表示装置照明用光源２９からの光を導く部分は適宜省略されてもよい。
【００５６】
以上では、計器装置１００を車両用計器として説明したが、これに限られない。計器装置１００は、航空用計器、船舶用計器等であってもよい。
【００５７】
なお、以上の説明では、本発明の理解を容易にするために、公知の技術的事項の説明を適宜省略した。
【符号の説明】
【００５８】
１００        計器装置
１０          水温計
２０          速度計
２５          照明室
２７          透過部
２８          表示装置
２９          表示装置照明用光源
３０          燃料計
４０          計器板
４２          基板
４４          孔
４６          指標部
４６ａ        目盛
４６ｂ        記号
４８          警告報知部
４８ａ        警告マーク
４９          輪郭部
４９ａ        左輪郭部
４９ｂ        右輪郭部
５０          回路基板
５２          基材
５４          孔
５６          駆動本体
５６ａ        回転軸
５７          第１光源
５８          第２光源
５９          第３光源
６０          指針
７０          導光体ケース
７２          光案内路
７４          照明室
７４ａ        側壁部
７４ｂ        底面部
７４ｃ        空間部
７６          凹部
７６ａ        第１凹部
７６ｂ        第２凹部
７９          孔
８０          導光体
８０ａ        凹凸部（反射部の一例）
８２          受光部
８３          貫通孔
８４          第１導光部
８５          凸部
８６          第２導光部
９０          表側ケース
９０ａ        ガラスケース
９０ｂ        バイザー
９５          裏側ケース
【図１】
0005796475.tif 000002
【図２】
0005796475.tif 000003
【図３】
0005796475.tif 000004
【図４】
0005796475.tif 000005
【図５】
0005796475.tif 000006
【図６】
0005796475.tif 000007